(57)【要約】【課題】癖付け部材の着脱作業の簡略化を図ると共に、１台で種々のヘアースタイルに容易に対応する。【解決手段】本発明は、毛髪を挟持し加熱して該毛髪に癖を付けるためのヘアーアイロン１０において、基端を支点として互いに近接離間方向に回動可能な一対のアーム２１，２２と、各アーム２１，２２の先端内側部分にそれぞれ互いに対向して設けられ、前記毛髪を挟持可能な加熱部２３，２４と、加熱部２３，２４の反対側であってアーム２１，２２の先端外側部分に設けられる磁力性部材３２，３３と、磁力性部材３２，３３に着脱自在に設けられ、前記毛髪を巻き付け可能な癖付け部材４０とを備えていることを特徴とする。【選択図】図１
2010273807.tif 000002
【特許請求の範囲】
【請求項１】
毛髪を挟持し加熱して該毛髪に癖を付けるためのヘアーアイロンにおいて、
基端を支点として互いに近接離間方向に回動可能な一対のアームと、
該各アームの先端内側部分にそれぞれ互いに対向して設けられ、前記毛髪を挟持可能な加熱部と、
該加熱部の反対側であって前記アームの先端外側部分に設けられる磁力性部材と、
該磁力性部材に着脱自在に設けられ、前記毛髪を巻き付け可能な癖付け部材と、
を備えていることを特徴とするヘアーアイロン。
【請求項２】
前記癖付け部材は曲率の異なる複数の湾曲部を備えている請求項１に記載のヘアーアイロン。
【請求項３】
前記アームの先端外側部分には第１の平坦面が形成され、前記癖付け部材の内側には該第１の平坦面に接触可能な第２の平坦面が形成されており、前記第１の平坦面と前記第２の平坦面とが磁力により互いに引き合うように構成されている請求項１又は２に記載のヘアーアイロン。
【発明の詳細な説明】
【技術分野】
【０００１】
本発明は、毛髪を挟持し加熱して該毛髪に癖を付けるためのヘアーアイロンに関するものである。
【背景技術】
【０００２】
従来、毛髪にウェーブやカールを付けたり毛髪をストレートにしたりする等、毛髪に癖を付けるためにヘアーアイロンが使用されている。
【０００３】
従来のヘアーアイロンは、一般に、基端を支点に回動可能な一対のアームと、該各アームの先端内側部分に互いに対向して設けられる加熱部と、該加熱部の反対側であって前記アームの先端外側部分に所定の曲率を有して形成される巻付け部とを備えて構成されている。そして、前記加熱部で毛髪を挟持し加熱した後、アームを回して毛髪を巻付け部に巻き付けることにより、毛髪に所定の癖が付けられるようになっている（例えば、特許文献１参照）。
【０００４】
しかしながら、このような従来のヘアーアイロンでは、所定の曲率を有する巻付け部に毛髪を巻きつけてカール等の癖付けを行うようになっているため、癖付けのスタイルが限定されてしまい、１台のヘアーアイロンで種々のヘアースタイルに対応することが難しいといった問題があった。
【０００５】
そこで、近年では、このような問題点を解決すべく、巻付け部とは曲率の異なる湾曲面を有する補助ケースをアームの外周部に着脱可能とし、この補助ケースを取り替えることにより、１台のヘアーアイロンで毛髪をカールする際の曲げ度合いを変えることができるようにしたヘアーアイロンも提案されている（例えば、特許文献２参照）。
【先行技術文献】
【特許文献】
【０００６】
【特許文献１】特開２００７−２６００５９号公報
【特許文献２】特開２００９−５０６８１号公報
【発明の概要】
【発明が解決しようとする課題】
【０００７】
しかしながら、上記した特許文献２に記載のヘアーアイロンでは、アームに対して補助ケースを長手方向に係合させて挿入することにより装着させるようになっているため、補助ケースの装着作業に手間が掛かるといった問題があった。
【０００８】
また、毛髪をカールする際の曲げ度合いを変更する度に補助ケースを取り替える必要があるため、取替え作業が面倒になり、結果として、補助ケースを使用せずに毛髪に癖付けを行うことも多かった。
【０００９】
本発明は、上記した課題を解決すべくなされたものであり、補助ケース（癖付け部材）の着脱作業の簡略化を図ると共に、１台で種々のヘアースタイルに容易に対応することのできるヘアーアイロンを提供することを目的とするものである。
【課題を解決するための手段】
【００１０】
上記した目的を達成するため、本発明は、毛髪を挟持し加熱して該毛髪に癖を付けるためのヘアーアイロンにおいて、基端を支点として互いに近接離間方向に回動可能な一対のアームと、該各アームの先端内側部分にそれぞれ互いに対向して設けられ、前記毛髪を挟持可能な加熱部と、該加熱部の反対側であって前記アームの先端外側部分に設けられる磁力性部材と、該磁力性部材に着脱自在に設けられ、前記毛髪を巻き付け可能な癖付け部材とを備えていることを特徴とする。
【００１１】
本発明に係るヘアーアイロンにおいて、前記癖付け部材は曲率の異なる複数の湾曲部を備えているのが好ましい。
【００１２】
また、本発明に係るヘアーアイロンにおいて、前記アームの先端外側部分には第１の平坦面が形成され、前記癖付け部材の内側には該第１の平坦面に接触可能な第２の平坦面が形成されており、前記第１の平坦面と前記第２の平坦面とが磁力により互いに引き合うように構成されているのが好ましい。
【発明の効果】
【００１３】
本発明によれば、癖付け部材の着脱作業の簡略化を図ると共に、１台で種々のヘアースタイルに容易に対応することができる等、種々の効果を得ることができる。
【図面の簡単な説明】
【００１４】
【図１】本発明の実施の形態に係るヘアーアイロンを示す斜視図である。
【図２】本発明の実施の形態に係るヘアーアイロンの本体を示す斜視図である。
【図３】本発明の実施の形態に係るヘアーアイロンの癖付け部材を示す斜視図である。
【図４】本発明の実施の形態に係るヘアーアイロンを閉じた状態を示す側面図である。
【図５】本発明の実施の形態に係るヘアーアイロンの別の癖付け部材を示す斜視図である。
【図６】本発明の実施の形態に係るヘアーアイロンに別の癖付け部材を装着した状態を示す斜視図である。
【図７】本発明の実施の形態に係るヘアーアイロンのさらに別の癖付け部材を示す斜視図である。
【図８】本発明の実施の形態に係るヘアーアイロンにさらに別の癖付け部材を装着した状態を示す斜視図である。
【発明を実施するための形態】
【００１５】
以下、図面を参照しつつ、本発明の実施の形態について説明する。
【００１６】
図１は本発明の実施の形態に係るヘアーアイロンを示す斜視図であり、このヘアーアイロン１０は、本体２０と、磁力によって本体２０に着脱自在に設けられる癖付け部材４０とにより構成されている。
【００１７】
本体２０は、基端を支点として互いに近接離間方向に回動可能なように連結される一対のアーム２１，２２と、各アーム２１，２２の先端内側部分にそれぞれ互いに対向して設けられる加熱部２３，２４とを備えている。
【００１８】
一対のアーム２１，２２は、耐熱性及び不燃又は難燃性プラスチックの内部に断熱又は遮熱性素材が充填されて形成され、基端側に設けられる板バネ（図示省略）等の弾性部材によって互いに離間方向に付勢され、先端の離間距離が５ｃｍ以上確保できるようになっている。また、一対のアーム２１，２２の基端側には把持部２５，２６が形成されており、いずれか一方の把持部２５の内側にはリチウム電池等の充電池を収容する電池収容部２７が設けられ、電池収容部２７の両側面には鏡２８が取り付けられている。
【００１９】
いずれか一方のアーム２１の中央部には、側面に加熱部２３，２４のオン・オフや温度を設定するために操作部２９が設けられていると共に、外側部分（図示上側部分）にＬＣＤディスプレイ（図示省略）が設けられ、該ＬＣＤディスプレイには操作部２９の押圧操作に従って加熱部２３，２４の設定温度や表面温度及び電池残量等が表示されるようになっている。
【００２０】
また、他方のアーム２２の中央部外側部分（図示下側部分）にはロックスイッチ（図示省略）が設けられ、一対のアーム２１，２２を閉じた状態でこのロックスイッチをスライド操作することにより一対のアーム２１，２２が閉じたまま固定されるようになっている。
【００２１】
加熱部１３，１４の反対側であって各アーム２１，２２の先端外側部分には第１の平坦面３０，３１がそれぞれ形成されており、これらの第１の平坦面３０，３１に磁石又は磁力性金属からなる磁力性部材３２，３３が取り付けられている。
【００２２】
図３に示すように、癖付け部材４０は、曲率の異なる大小２つの湾曲部４１，４２を軸方向に連結して形成されており、癖付け部材４０をそれぞれ装着したアーム２１，２２を閉じて合わせると、図４に示すように、一対の癖付け部材４０，４０によって筒状に形成されるようになっている。
【００２３】
大小各湾曲部４１，４２の軸方向の長さは略同一に形成され、大小各湾曲部４１，４２の外側には突起部４３，４４がそれぞれ３枚ずつ等間隔で周方向全体に渡って突設されている。そして、例えば、大湾曲部４１は、５０ｍｍ程度の曲率を有し、小湾曲部４２は、３５ｍｍ程度の曲率を有し、各突起部４３，４４は頂部で４ｍｍ程度の高さを有し、この高さは癖付け部材４０の縁部に向かうに従って低くなるように形成されている。
【００２４】
また、癖付け部材４０の内側には磁石又は磁力性金属からなる磁力性部材４５が取り付けられており、この磁力性部材４５の内側には各アーム２１，２２の第１の平坦面３０，３１に接触可能な第２の平坦面４６が形成され、第２の平坦面４６と第１の平坦面３０，３１とが磁力により互いに引き合うようになっている。
【００２５】
なお、癖付け部材４０は、上記した形態に限定されるものではなく、例えば、図５及び図６に示すように、小湾曲部４２だけが形成されたものや、図７及び図８に示すように、大湾曲部４１だけが形成されたものや、或いは、特に図示しないが、曲率の異なる３個以上の湾曲部が形成されていたりしてもよい。
【００２６】
このように上記した構成を備えたヘアーアイロン１０によれば、毛髪にカールやウェーブ等の癖を付ける場合、ユーザの好みに合った曲率を有する癖付け部材４０を選択し、第２の平坦面４６を一対のアーム２１，２２の第１の平坦面３０，３１にそれぞれ接触させ、磁力で引き付け合わせることにより、所望の癖付け部材４０を簡単に本体２０に装着することができる。また、磁力に抗して癖付け部材４０をアーム２１，２２から引き離すことにより簡単に本体２０から取り外すこともでき、癖付け部材４０の取り替え作業も簡単に行うことができる。したがって、１台のヘアーアイロン１０で種々のヘアースタイルに容易に対応することができるようになる。
【００２７】
さらにまた、癖付け部材４０が曲率の異なる複数の湾曲部４１，４２を備えている場合には、癖付け部材４０を取り替えることなく、１台のヘアーアイロン１０で毛髪をカールする際の曲げ度合いを変えることができるため、上記した効果をより一層高めることができる。
【符号の説明】
【００２８】
１０          ヘアーアイロン
２１          アーム
２２          アーム
２３          加熱部
２４          加熱部
３０          第１の平坦面
３１          第２の平坦面
３２          磁力性部材
３３          磁力性部材
４０          癖付け部材
４１          大湾曲部
４２          小湾曲部
【図１】
2010273807.tif 000003
【図２】
2010273807.tif 000004
【図３】
2010273807.tif 000005
【図４】
2010273807.tif 000006
【図５】
2010273807.tif 000007
【図６】
2010273807.tif 000008
【図７】
2010273807.tif 000009
【図８】
2010273807.tif 000010